【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】プレゼンス情報表示方法及び記憶媒体
【手続補正２】
【補正対象書類名】特許請求の範囲
【補正対象項目名】全文
【補正方法】変更
【補正の内容】
【特許請求の範囲】
【請求項１】
コンピュータによって実行され、ネットワーク型通信システムにおける共有ファイルの情報を表示装置へ表示する方法であって、
前記共有ファイルを表示し、
前記共有ファイルに関連付けられたユーザが前記ネットワーク型通信システムを通じて通信可能か否かを示す連絡情報を含むプレゼンス情報を表示し、
前記ユーザが通信可能であれば、当該ユーザとの通信に利用可能な連絡方法の情報を表示し、
前記ユーザとの通信のための連絡方法の選択指示を検出し、
前記選択された連絡方法に基づいて、前記ユーザとの通信セッションを開始することを特徴とする方法。
【請求項２】
請求項１記載の方法であって、
第２のユーザの操作を検出し、それに対応して前記ユーザとの通信のために利用可能な連絡方法の情報を表示することを特徴とする方法。
【請求項３】
請求項１記載の方法であって、
前記連絡方法の情報は、画像を用いて表示されることを特徴とする方法。
【請求項４】
請求項１記載の方法であって、
前記表示装置は、ビデオディスプレイ装置、携帯型コンピュータに組み込まれた表示装置、個人情報端末に組み込まれた表示装置、及び電話機に組み込まれた表示装置のうちの少なくともいずれか一つであることを特徴とする方法。
【請求項５】
請求項１記載の方法であって、
前記連絡方法は、ボイスオーバーＩＰ、インスタントメッセージ、及び電子メールのうちの少なくともいずれか一つであることを特徴とする方法。
【請求項６】
請求項２記載の方法であって、
前記プレゼンス情報の表示は、前記表示装置に画像情報を表示することで実行され、
前記連絡情報の表示は、前記画像情報に対する前記第２のユーザの操作の検出に対応して実行されることを特徴とする方法。
【請求項７】
請求項１記載の方法であって、
前記ファイルに関連付けられた前記ユーザは、ピアツーピア通信ネットワークの参加者であることを特徴とする方法。
【請求項８】
請求項１記載の方法であって、
前記共有ファイルを表示する手順は、個々のファイルの表示、及び、ディレクトリの表示のうち少なくともいずれか一方で実行されることを特徴とする方法。
【請求項９】
コンピュータによって実行され、ピアツーピアネットワークにおけるファイルに関する情報を表示する方法であって、
複数のファイルを表すファイル情報を取得し、
前記ファイルに関連付けられた１又は２以上のユーザを表すユーザ情報のうち、前記ファイルのうちの１又は２以上に関連付けられたユーザのみの情報に限って取得し、
プレゼンス情報に関連付けられた前記１又は２以上の各ユーザのプレゼンス情報を取得し、
表示装置の第１の領域に、１又は２以上の前記ファイルの情報及び１又は２以上の前記ファイルに関連付けられた１又は２以上の関連ユーザを識別する情報を提示し、
前記表示装置の第２の領域に、各前記関連ユーザのプレゼンス情報を提示し、
各関連ユーザの前記プレゼンス情報は、前記関連ユーザが通信可能か否かを示す情報、及び、前記関連ユーザとの通信を開始するための１又は２以上の連絡方法を示す情報を含むことを特徴とする方法。
【請求項１０】
ユーザの操作を検出し、それに対応して前記表示装置の第２の領域に各前記関連ユーザのプレゼンス情報を提示する手順を実行することを特徴とする請求項９に記載の方法。
【請求項１１】
ファイル共有環境において、第１のコンピュータシステム内のファイルを表示する方法であって、
ファイルフォルダの内容の表示に関するユーザの要求を受信し、
前記ユーザの要求によって、ファイルフォルダの内容を表示し、
前記ユーザの要求の受信に対応して、
第２のコンピュータシステムと通信することによって、１又は２以上のファイルを表す第１の情報、及び、少なくとも一つのファイルグループを表す第２の情報を受信し、
前記第１の情報及び前記第２の情報を提示し、
前記ファイルグループのプレゼンス情報を表す第３の情報を提示し、
前記プレゼンス情報は前記ファイルグループの１又は２以上の構成要素のプレゼンス情報に基づく情報であり、前記構成要素はファイル及びファイルのサブグループを含むものであることを特徴とする表示方法。
【請求項１２】
前記第２のコンピュータシステムで生成された前記第３の情報を、前記第２のコンピュータシステムから受信することを特徴とする請求項１１に記載の表示方法。
【請求項１３】
前記ファイルグループは、１又は２以上のファイルを含み、
前記第２のコンピュータシステムから前記１又は２以上のファイルのプレゼンス情報を受信し、
前記第１のコンピュータシステムが前記第３の情報を生成することを特徴とする請求項１１に記載のファイルを表示する方法。
【請求項１４】
前記ファイル共有環境は、ピアツーピアネットワークであり、
前記第２のコンピュータシステムで生成された前記第３の情報を、前記第２のコンピュータシステムから受信することを特徴とする請求項１１に記載の表示方法。
【請求項１５】
前記ファイル共有環境は、ピアツーピアネットワークであり、
前記ファイルグループは、１又は２以上のファイルを含み、
前記第２のコンピュータシステムから前記１又は２以上のファイルのプレゼンス情報を受信し、
前記第１のコンピュータシステムが前記第３の情報を生成することとを特徴とする請求項１１に記載のファイルを表示する方法。
【請求項１６】
コンピュータに請求項１１に記載の方法を実行させるためのプログラムを記録したコンピュータ読み取り可能な記録媒体。
【請求項１７】
ピアツーピアネットワークにおいて、ピアユーザに情報を提示する方法であって、
第１のコンピュータシステムにおいて、１又は２以上のピアユーザからプレゼンス情報を受信し、
前記第１のコンピュータシステムにおいて、前記１又は２以上のピアユーザの各々に関連付けられたプライバシーポリシーを受信し、
第２のコンピュータシステムにおいて、第１のピアユーザに、１又は２以上のファイルの集合を表すファイル情報を提示し、
前記集合内の前記ファイルのうちの１又は２以上について、
前記第１のピアユーザに、前記ファイルに関連付けられた１又は２以上のピアユーザを識別する情報を提示し、
前記第１のピアユーザに、前記ファイルに関連付けられた各ピアユーザに対するプレゼンス情報であって、前記ピアユーザのプレゼンス情報及び前記ピアユーザに関連付けられた前記プライバシーポリシーに基づくプレゼンス情報を提示し、
前記第１のピアユーザには、前記ファイルに関連付けられたユーザのみに対する情報が提示されることを特徴とする情報提示方法。
【請求項１８】
前記プレゼンス情報は、前記第１のコンピュータシステムで生成されることを特徴とする請求項１７に記載の情報提示方法。
【請求項１９】
前記プレゼンス情報は、前記第２のコンピュータシステムで生成されることを特徴とする請求項１７に記載の情報提示方法。
【請求項２０】
前記第１のコンピュータシステムからプライバシーポリシー情報を受信することによって、前記第２のコンピュータシステムが前記プレゼンス情報を生成可能となることを特徴とする請求項１９に記載の情報提示方法。
【請求項２１】
前記１又は２以上のファイルの集合はディレクトリであり、
前記ファイル情報は、ディレクトリのアイコン表示であることを特徴とする請求項１７に記載の情報提示方法。
【請求項２２】
前記ファイル情報は、前記１又は２以上のファイルの集合内の各ファイルの１又は２以上のアイコン表示によって構成されることを特徴とする請求項１７に記載の情報提示方法。
【請求項２３】
前記ファイルに関連付けられた前記１又は２以上のピアユーザは、前記ファイルを所有するピアユーザ、又は、前記ファイルを変更したピアユーザを含むことを特徴とする請求項１７に記載の情報提示方法。
【請求項２４】
前記ピアユーザの前記プレゼンス情報は、前記ピアユーザがオンラインであるか、稼働中であるか、又は不使用であるかを示す情報によって構成されることを特徴とする請求項１７に記載の情報提示方法。
【請求項２５】
前記情報を提示する手順は、表示装置に視覚的に情報を表示することを含むことを特徴とする請求項１７に記載の情報提示方法。
【請求項２６】
前記表示装置には、ビデオディスプレイ装置、携帯型コンピュータに組み込まれた表示装置、個人情報端末に組み込まれた表示装置、及び電話機に組み込まれた表示装置の一つが含まれることを特徴とする請求項２５に記載の情報提示方法。
【請求項２７】
ネットワーク型通信システムにおいてユーザを表示する方法であって、
ユーザのプレゼンス情報を格納し、
第１のユーザからファイル情報の要求を受信し、
前記第１のユーザへ、１又は２以上のファイルを識別するディレクトリ情報、少なくとも一つの前記ファイルに関連付けられた関連ユーザを識別するユーザ情報、及び、各関連ユーザに対するプレゼンス情報を含む第１の情報を通信し、
各関連ユーザについて、前記関連ユーザに属する監視リストに前記第１のユーザを識別する情報を追加し、
第２のユーザのプレゼンスが変化したことの指示を受信し、それに対応して前記第１のユーザが前記第２のユーザに属する前記監視リスト内にあるとき、前記第２のユーザのプレゼンスの変化を示す第２の情報を、前記第１のユーザへ通信することを特徴とする表示方法。
【請求項２８】
前記第１の情報は、１又は２以上のユーザグループを識別するグループ情報及び各ユーザグループに対するグループプレゼンス情報を含み、
ユーザグループの前記グループプレゼンス情報は、前記グループを構成する前記ユーザのうち少なくとも一部のユーザのプレゼンス情報に基づき、
前記第２のユーザが前記１又は２以上のユーザグループの一つに入っており、前記ユーザグループの前記グループプレゼンス情報が変化したときに、前記第２の情報の前記第１のユーザへの通信が行われることを特徴とする請求項２７に記載の表示方法。